(57)【特許請求の範囲】
【請求項１】
定尺版から寸法の異なる複数枚の建物用パネルを製造する方法であって、
切削具により、定尺版における後に建物用パネルの端辺となる部分の表面に所定形状の溝を形成する工程と、
前記溝が形成された前記定尺版を塗装する工程と、
切断具により前記定尺版を切断して複数枚の建物用パネルに分割する工程と、を有し、
前記溝を形成する工程は、前記切削具により、前記定尺版の縁部でない位置において、少なくとも一つの前記後に建物用パネルの端辺となる部分の延長部分に溝の余長部を形成する工程を有し、
前記定尺版を塗装する工程は、空気を吹き付けることにより、余分な塗料を除去するとともに、前記溝の余長部に余分な塗料を集める工程を有し、
前記定尺版を切断する工程は、前記余長部を除去する工程を有する、建物用パネルの製造方法。
【請求項２】
前記切削具より小さい半径を有する他の切削具により前記余長部を加工する工程をさらに有する、請求項１に記載の建物用パネルの製造方法。
【請求項３】
前記定尺版を切断する工程は、前記切断具が、前記余長部の溝の直角方向から前記余長部を通り、当該余長部を除去しながら前記定尺版を切断する、請求項１又は２に記載の建物用パネルの製造方法。
【請求項４】
前記切断具が、回転刃であり、
前記余長部は、前記回転刃の厚みよりも短くなるように形成される、請求項３に記載の建物用パネルの製造方法。
【発明の詳細な説明】
【技術分野】
【０００１】
本発明は、建物用パネルの製造方法に関する。
【背景技術】
【０００２】
建物の外壁、床、屋根などに用いられるＡＬＣパネルなどの建物用パネルは、工場において、建物用パネルよりも大きい規定の寸法を有する定尺版を切断して製造される。この種の建物用パネルの製造方法として、定尺版にシーリング部となる溝を形成し、その後塗装し、その後定尺版をシーリング部に沿って切断して、建物用パネルを形成する方法が提案されている（特許文献１参照）。この方法では、切断前に塗装が行われるので、塗装が１回で済むというメリットがある。
【先行技術文献】
【特許文献】
【０００３】
【特許文献１】特開２００９−２４１３８４号公報
【発明の概要】
【発明が解決しようとする課題】
【０００４】
しかしながら、上述の方法は、定尺版から同じ寸法（形）の建物用パネルを切り出すものであり、溝を、必ず定尺版の一の縁部から他の縁部まで形成している（溝の端部が定尺版の縁部にある）ため、定尺版から異なる寸法の建物用パネルを切り出すには適していない。よって、例えば特定の寸法の建物用パネルが１枚だけ必要な場合には、定尺版の他の部分が無駄になる。
【０００５】
そこで、出願人らは、１枚の定尺版から大きさの異なる複数の建物用パネルを製造して、端材（無駄となる部分）を減らすことを考えている。
【０００６】
しかし、１枚の定尺版から大きさの異なる複数の建物用パネルを製造する場合、定尺版の縁部でない位置で、後に建物用パネルの端辺となる位置に溝を形成する必要があり、その際、溝の周辺に塗料の液だまりができてしまい、建物用パネルがきれいに仕上げられない恐れがある。
【０００７】
本出願は、かかる点に鑑みてなされたものであり、１枚の定尺版から寸法の異なる複数の建物用パネルを製造して無駄を減らしつつ、建物用パネルをきれいに製造することをその目的とする。
【課題を解決するための手段】
【０００８】
本発明は、定尺版から寸法の異なる複数枚の建物用パネルを製造する方法であって、切削具により、定尺版における後に建物用パネルの端辺となる部分の表面に所定形状の溝を形成する工程と、前記溝が形成された前記定尺版を塗装する工程と、切断具により前記定尺版を切断して複数枚の建物用パネルに分割する工程と、を有し、前記溝を形成する工程は、前記切削具により、前記定尺版の縁部でない位置において、少なくとも一つの前記後に建物用パネルの端辺となる部分の延長部分に溝の余長部を形成する工程を有し、前記定尺版を塗装する工程は、空気を吹き付けることにより、余分な塗料を除去するとともに、前記溝の余長部に余分な塗料を集める工程を有し、前記定尺版を切断する工程は、前記余長部を除去する工程を有する、建物用パネルの製造方法を含む。
【０００９】
本発明によれば、切削具により、定尺版の縁部でない位置に溝を形成して、定尺版から様々な寸法の建物用パネルを切り出すことができるので、定尺版から寸法の異なる複数の建物用パネルを製造するのに適している。また、定尺版を塗装する工程において、余分な塗料を除去するとともに、溝の余長部に余分な塗料を集め、定尺版を切断する工程においてその余長部を除去するので、建物用パネルの表面がきれいに仕上げられる。よって、１枚の定尺版から寸法の異なる複数の建物用パネルを製造して無駄を減らしつつ、建物用パネルをきれいに製造できる。
【００１０】
前記建物用パネルの製造方法は、前記切削具より小さい半径を有する他の切削具により前記余長部を加工する工程をさらに有していてもよい。
【００１１】
前記定尺版を切断する工程は、前記切断具が、前記余長部の溝の直角方向から前記余長部を通り、当該余長部を除去しながら前記定尺版を切断するものであってもよい。
【００１２】
前記切断具が、回転刃であり、前記余長部は、前記回転刃の厚みよりも短くなるように形成されるようにしてもよい。
【発明の効果】
【００１３】
本発明によれば、１枚の定尺版から寸法の異なる複数の建物用パネルを製造し無駄を減らしつつ、建物用パネルをきれいに製造することができる。
【図面の簡単な説明】
【００１４】
【図１】定尺版の建物用パネルの配置を示す説明図である。
【図２】建物用パネルのシーリング部を示す断面図である。
【図３】定尺版に縦溝を形成した状態を示す説明図である。
【図４】切削具により縦溝を形成する状態を示す断面図である。
【図５】縦溝の余長部を示す説明図である。
【図６】定尺版に横溝と縁溝をさらに形成した状態を示す説明図である。
【図７】定尺版を塗装した状態を示す説明図である。
【図８】回転刃で定尺版を切断する状態を示す説明図である。
【図９】回転刃で余長部を除去する様子を示す説明図である。
【図１０】分割された定尺版を示す説明図である。
【図１１】他の切削具で余長部を加工する様子を示す説明図である。
【発明を実施するための形態】
【００１５】
以下、図面を参照して、本発明の好ましい実施の形態の一例について説明する。なお、図面の上下左右等の位置関係は、特に断らない限り、図面に示す位置関係に基づくものとする。図面の寸法比率は、図示の比率に限定されるものではない。さらに、以下の実施の形態は、本発明を説明するための例示であり、本発明をその実施の形態のみに限定する趣旨ではない。また、本発明は、その要旨を逸脱しない限り、さまざまな変形が可能である。
【００１６】
図１は、建物用パネルを製造するための定尺版１を示す。定尺版１は、例えばＡＬＣからなる厚みのある長方形のパネルであり、例えば３００ｍｍ〜６１０ｍｍ×１５００ｍｍ〜３０００ｍｍ程度の寸法を有している。この定尺版１から、大きさの異なる複数枚の建物用パネルを形成できる。本実施の形態では、例えば定尺版１から６枚の建物用パネルＡ〜Ｆを形成する。
【００１７】
定尺版１から製造される建物用パネルＡ〜Ｆは、建物の外壁、屋根、床等に使用され、使用部位により寸法が異なる。建物用パネルＡ〜Ｆは、建物に使用される際に、例えば図２に示すように建物用パネルＡ同士で隣接させて使用され、それらの間には、雨水等が建物内に侵入するのを防止するシーリング材１０が充填される。このため、建物用パネルＡ〜Ｆの端辺には、所定形状の溝２０、２１、２２が形成される。後述する縦溝２０には、例えばシーリング材１０より上で露出する傾斜部３０と、シーリング材１０で埋没する垂直部３１、湾曲部３２、底部３３等が形成される。
【００１８】
以下、定尺版１から建物用パネルＡ〜Ｆを製造する方法について説明する。
【００１９】
先ず、切削加工機の切削具により、定尺版１における後に建物用パネルＡ〜Ｆの端辺となる部分の表面に所定形状の溝を形成する。先ず、図３に示すように定尺版１の縁部でない位置において、定尺版１の長手方向Ｘの、後に建物用パネルＡ〜Ｆの端辺となる部分４０、４１、４２に縦溝２０を形成する。このとき、図４及び図５に示すようにエンドミルなどの切削具５０を縦軸回転させながら、定尺版１の長手方向Ｘに動かして縦溝２０を形成する。そして、切削具５０を、定尺版１の長手方向Ｘにおいて、建物用パネルＡ〜Ｆの端辺となる部分４０〜４２を超えた位置まで移動させて、当該端辺となる部分の延長部分に縦溝２０の余長部２０ａを形成する。なお、余長部２０ａの長さＬは、３ｍｍ〜１５ｍｍ程度、さらに５ｍｍ程度が好ましい。
【００２０】
次に、切削具５０により、図６に示すように定尺版１の短辺方向Ｙの建物用パネルＡ〜Ｆの端辺となる部分６０、６１、６２、６３に縦溝２０より浅い横溝２１を形成し、定尺版１の縁部にある建物用パネルＡ〜Ｆの端辺となる部分７０に縁溝２２を形成する。
【００２１】
次に、塗装機により、図７に示すように定尺版１の全体を塗装する。これにより、傾斜部３０等のある縦溝２０内も塗装される。この定尺版１を塗装する工程では、空気を噴出する空気ノズルにより、定尺版１に空気を吹き付けることにより、余分な塗料を除去するとともに、溝２０の余長部２０ａに余分な塗料を集める。
【００２２】
次に図８及び図９に示すように切断機の所定厚みの切断具としての回転刃８０により、定尺版１を横溝２１に沿って切断する。このとき、回転刃８０を横軸回転させながら、定尺版１の短辺方向Ｙの溝２１に沿って、縦溝２０の余長部２０ａを通るように移動させ、当該余長部２０ａを除去しながら定尺版１を切断する。このとき、余長部２０ａと共に余分は塗料も除去される。なお、回転刃８０には、余長部２０ａの長さＬよりも厚いものを用いるのが好ましい。その後、定尺版１の長手方向Ｘの縦溝２０に沿って定尺版１を切断する。この結果、図１０に示すように定尺版１が寸法の異なる複数枚の建物用パネルＡ〜Ｆに分割される。横溝２１や、定尺版１の短辺方向の縁溝２２は、パネルＡ〜Ｆの面取り部として形成してもよく、またこれら定尺版の短辺方向の溝の形成を省略してもよい。溝の形成を省略する場合、建物用パネルＡ〜Ｆの端辺となる部分に沿って切断すればよい。
【００２３】
本実施の形態によれば、切削具５０により、定尺版１の縁部でない位置に溝２０を形成して、定尺版１から様々な寸法の建物用パネルＡ〜Ｆを切り出すことができるので、定尺版１から寸法の異なる複数の建物用パネルを製造するのに適している。また、溝２０〜２２を形成する工程において縦溝２０の余長部２０ａを形成し、定尺版１を塗装する工程において、余分な塗料を除去するとともに、溝の余長部２０ａに余分な塗料を集め、定尺版１を切断する工程においてその余長部２０ａを除去するので、建物用パネルＡ〜Ｆの表面がきれいに仕上げられる。よって、１枚の定尺版１から寸法の異なる複数の建物用パネルＡ〜Ｆを製造して無駄を減らしつつ、建物用パネルＡ〜Ｆをきれいに製造できる。
【００２４】
上記実施の形態において、例えば図１１に示すように、切削具５０より小さい半径を有する切削具９０により、余長部２０ａを加工するようにしてもよい。かかる場合、縦溝２０の余長部２０ａの端にできる円弧の径を小さくすることができ、これによって余長部２０ａの長さＬを短くできる。この結果、定尺版１の無駄を低減できる。また、回転刃８０の厚みより切削具９０の半径を小さくすることにより、回転刃８０により余長部２０ａを一回で除去することができ、余長部２０ａの除去を簡単に行うことができる。
【００２５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２６】
例えば、定尺版１から建物用パネルＡ〜Ｆを製造していたが、その枚数や寸法は任意に選択できる。また、溝２０〜２２の形状も任意に選択できる。余長部を縦溝２０に形成する例を説明したが、横溝２１に余長部を形成してもよい。
【産業上の利用可能性】
【００２７】
本発明は、定尺版から寸法の異なる複数の建物用パネルを製造して無駄を減らしつつ、建物用パネルをきれいに製造する際に有用である。
【符号の説明】
【００２８】
１  定尺版
２０  縦溝
２０ａ  余長部
５０  切削具
８０  回転刃
Ａ〜Ｆ  建物用パネル
【図１】
0006336882.tif 000002
【図２】
0006336882.tif 000003
【図３】
0006336882.tif 000004
【図４】
0006336882.tif 000005
【図５】
0006336882.tif 000006
【図６】
0006336882.tif 000007
【図７】
0006336882.tif 000008
【図８】
0006336882.tif 000009
【図９】
0006336882.tif 000010
【図１０】
0006336882.tif 000011
【図１１】
0006336882.tif 000012